(57)【要約】【課題】楽器本体の音色感とスピーカから発音される音色感とを略同一に保つことのできる楽器を提供すること。【解決手段】弦を振動させることによって発音させるエレクトロアコースティックギター１０において、内部に空洞を有する楽器本体１１が木材により形成されたている。楽器本体１１には、弦１５の振動を電気信号に変換するピックアップ２１、増幅器２２、スピーカ２４及びバッテリー２５が配置されている。スピーカ２４は、その振動板２４Ａが楽器本体１１と同一の材料によって形成されている。【選択図】図１
2007333757.tif 000002
【特許請求の範囲】
【請求項１】
弦を振動させることによって発音させる楽器において、
木材若しくは木質材により形成された楽器本体と、前記弦の振動を電気信号に変換するセンサと、当該センサの信号を増幅する増幅器と、前記楽器本体と同一若しくは同質材料で形成された振動板を含むスピーカとを備えたことを特徴とする楽器。
【請求項２】
前記センサ、増幅器及びスピーカは、前記楽器本体の領域内にそれぞれ配置されていることを特徴とする請求項１記載の楽器。
【請求項３】
前記楽器本体内に、バッテリーが装備されていることを特徴とする請求項１又は２記載の楽器。
【発明の詳細な説明】
【技術分野】
【０００１】
本発明は楽器に係り、更に詳しくは、弦の振動を楽器本体から発音させるとともに、弦の振動を電気信号に変換してスピーカから発音させることのできる楽器に関する。
【背景技術】
【０００２】
撥弦楽器として、一般的に、「生ギター」と称されるアコースティックギターが知られている。同ギターは、楽器本体を構成する胴部（ボディ）に共鳴穴が形成されており、弦を爪弾くことにより、弦の空気振動音が前記ボディ内で共鳴して発音するようになっている。
このようなギターは、電気増幅を伴わないため、例えば、コンサートホール等の広い空間内で演奏を行ったときには、ステージから遠く離れた位置では音波が減衰して聴取できない傾向が強くなる。特に、他の楽器と合奏したときには、相対的な音量が小さいことにより、ギターの音がかき消されてしまうという問題がある。この点、エレクトリックアコースティックギターは、ボディ内部に専用のピックアップが装備されて電気的に増幅させる機能を備えているため、コンサートホール等においても期待する音量を確保することができる。
【０００３】
しかしながら、エレクトリックアコースティックギターは、弦の振動をピックアップ等のセンサで電気信号に変換する機能を備えているものの、増幅器やスピーカを、楽器本体とは別途独立して装備しなければならず、デザイン的な一体感はない。更に、演奏場所を移動する毎に必要な装備の搬入、搬出が余儀なくされて簡便性がない、という不都合もある。
【０００４】
また、ギター等の楽器の音色感（スペクトルフォルマント）は、使用木材が有する音色感若しくは質感と相関関係が非常に高いとされている。つまり、楽器本体が木質であって、楽器音がスピーカをも通じて発音される場合において、スピーカの振動板が紙や金属のものよりも木質の方が同質の音色感が得やすいとされている。また、楽器とスピーカの木材とを同一にすると、更に音色感が向上する。
従って、楽器本体が木質である場合には、少なくともスピーカの振動板を木質にすることが良好な音色感を得る要素となる。
【０００５】
ところで、特許文献１には、スピーカの振動板を木材により構成した構成が開示されている。同文献は、コーンスピーカ用振動板を木材の薄板により形成し、これにより、音色を生楽器の音色に近づけようと企図したものである。
【０００６】
【特許文献１】特開平６１−１７８３８６号公報
【発明の開示】
【発明が解決しようとする課題】
【０００７】
しかしながら、特許文献１に記載されたスピーカは、音色調整のために木材の薄板を振動板に用いるというだけのものであり、楽器の胴部材質との相関関係において特別な考察を行ったものではない。また、楽器とスピーカとのデザイン的一体性を確保する試みもなされていない。
【０００８】
［発明の目的］
本発明の目的は、楽器本体の音色感とスピーカから発音される音色感の調和ないし同一性を図るとともに、楽器本体と所要の装備とのデザイン的な一体性を確保することができる楽器を提供することにある。
また、本発明の他の目的は、演奏場所の変更に難なく対応可能な簡便性を備えた楽器を提供することにある。
【課題を解決するための手段】
【０００９】
前記目的を達成するため、本発明は、弦を振動させることによって発音させる楽器において、
木材若しくは木質材により形成された楽器本体と、前記弦の振動を電気信号に変換するセンサと、当該センサの信号を増幅する増幅器と、前記楽器本体と同一若しくは同質材料で形成された振動板を含むスピーカとを備える、という構成を採っている。
【００１０】
本発明において、前記センサ、増幅器及びスピーカは、前記楽器本体の領域内にそれぞれ配置することが好ましい。
【００１１】
また、前記楽器本体内にバッテリーを装備するとよい。
【００１２】
本発明が適用される楽器は、弦の振動による発音を行う楽器一般を含み、具体的には、ギター、バイオリン、ビオラ、チェロ、コントラバス等の弦楽器をもとより含む他、弦をハンマーで叩いてピックアップで電気信号に変換し、これを増幅してスピーカを通じて拡声させる電気ピアノ等を含む。
【００１３】
また、楽器本体の材料としては、アコースティック系の場合、スプルース、ローズウッド、アメリカ杉、ハリマツ、においひば等を用いるとよく、ソリッド系の場合には、メープル、アッシュ、アルダー（ハンノキ）等を用いるとよい。
【発明の効果】
【００１４】
本発明によれば、楽器本体とスピーカの振動板を同一の木材若しくは木質材により構成したことにより、同質の音色感を得ることができる。また、増幅器やスピーカが楽器本体の領域内に設けられた構成によれば、デザイン的な一体性を付与することが可能となる。従って、楽器本体が共鳴手段を有するタイプであれば、生楽器としての音を聴取できるほか、奏者と聴衆との相対距離が離れていても、スピーカからの音を聴取することができ、種々の演奏条件に臨機応変に対応することが可能となる。加えて、バッテリー内蔵型とした場合には、楽器のみの搬送により、電気的な設備の携行を不要とすることができる。
【発明を実施するための最良の形態】
【００１５】
以下、本発明の好ましい実施の形態について図面を参照しながら説明する。
【００１６】
図１には、本発明がエレクトリックアコースティックギターに適用された実施形態に係る正面図が示されている。この図において、エレクトリックアコースティックギター１０は、正面視略瓢箪型に形成されるとともに内部が空洞とされた楽器本体１１と、この楽器本体１１の図１中上部から上方に延設されたネック１２と、当該ネック１２の一端（図１中上端）に設けられたヘッド１３と、このヘッド１３と楽器本体１１との間において、前記ネック１２に沿って張設された弦１５とを基本構成として含む。
【００１７】
前記楽器本体１１は、図１中正面に表れているサウンドプレート１６の面内略中央部に共鳴手段を構成する共鳴穴１７が形成された公知の形状に設けられている。また、サウンドプレート１６の領域内には、弦１５の一端側を固定するブリッジ２０と、このブリッジ２０に併設されるとともに弦１５とサウンドプレート１６との間に配置されて弦１５の振動を電気信号に変換するためのセンサを構成するピックアップ２１と、サウンドプレート１６の内面側に配置されるとともに、前記ピックアップ２１の電気信号を増幅する増幅器２２と、この増幅器２２の出力を入力として振動するスピーカ２４と、楽器本体１１の内部に装備されて前記ピックアップ２１，増幅器２２等に電気的に接続されるバッテリー２５とを備えて構成されている。
【００１８】
本実施形態では、前記楽器本体１１の材料として、スプルース、ローズウッド、アメリカ杉、ハリマツ、においひば等の木材が用いられており、前記スピーカ２４の振動板２４Ａは、楽器本体１１と同一の木材が用いられている。
【００１９】
なお、スピーカ２４の配置は特に限定されるものではないが、本実施形態では、図１中左下方に配置されている。この配置は、サウンドプレート１６の領域内に各種のスイッチ類が取り付けられる場合に、これらの配置との関係において決定されることとなる。
【００２０】
以上の構成において、弦１５を爪弾くことにより、通常のアコースティックギターとして共鳴穴１７を通じて発音させることができる。この一方、電源投入により、共鳴穴１７による発音と共に、スピーカ２４から発音させてエレクトリックアコースティックギターとして使用することができる。この際、スピーカ２４の振動板２４Ａは、楽器本体１１の使用木材と同一であるため、略同一の音色感、つまり、アコースティックギター本来の音と同一若しくはこれに近い音を得ることができる。
【００２１】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、当業者が様々な変形を加えることができるものである。
【００２２】
例えば、前記実施形態では、本発明がエレクトリックアコースティックギター１０に適用された場合を図示、説明したが、本発明はこれに限定されるものではなく、電気ピアノに適用することもできる。この場合、スピーカは、ピアノ本体の外面側又は近傍に配置すれば足りる。また、共鳴空間を有しないソリッド系のギター等に適用してもよい。
更に、楽器本体１１及び振動板２４Ａの材料は、木材に限定されるものではなく、ＭＤＦ、木紛成形材（プラスチックウッド）等木質材を用いることを妨げない。
また、増幅器及びスピーカは外部接続型とすることも可能であり、ピックアップに代えてマイクを楽器本体１１に装着若しくは楽器本体１１の近傍に配置することでもよい。但し、前記実施形態の構成を採用すれば、取り扱いの簡便性を得るという効果を得る。
更に、楽器本体１１と同一の材料からなる振動板を採用したヘッドホンをスピーカに代えて楽器本体に接続することも可能である。
【図面の簡単な説明】
【００２３】
【図１】本実施形態に係るエレクトリックアコースティックギターの概略正面図。
【符号の説明】
【００２４】
１０…エレクトリックアコースティックギター、１１…楽器本体、１５…弦、２１…ピックアップ（センサ）、２２…増幅器、２４…スピーカ、２４Ａ…振動板、２５…バッテリー
【図１】
2007333757.tif 000003